(57)【要約】【課題】本発明は幹糸と釣り針が取り付けられた枝糸とを連結するに当たって、結び目のない連結構造を実現することで、釣り仕掛けを非常に簡易に交換することができ、また、強固な結合力を維持して釣り糸連結部分が容易に解けない釣り糸連結具を提供する。【解決手段】本発明の釣り糸連結具は、幹糸に枝糸を連結するためのもので、枝糸を連結するための第１本体と、前記第１本体の上部に一体的に形成されて前記幹糸を連結するための第２本体とを含み、前記第１本体は両外側面に前記枝糸を巻き掛けるための糸巻き溝が形成され、前記糸巻き溝に巻き取られた枝糸は第１本体の断面形状と対応する形状の挿入孔を備えた第１固定カバーによって被覆されることで、第１本体と第１固定カバーとの間で押圧固定されるようになる。【選択図】図３
2020031569.tif 000002
【特許請求の範囲】
【請求項１】
幹糸に枝糸を連結するための釣り糸連結具において、
前記枝糸を連結するための第１本体と、
前記第１本体の上部に一体的に形成されて前記幹糸を連結するための第２本体とを含み、
前記第１本体は両外側面に前記枝糸を巻き掛けるための糸巻き溝が形成され、前記糸巻き溝に巻き取られた枝糸は第１本体の断面形状と対応する形状の挿入孔を備えた第１固定カバーによって被覆されることで、第１本体と第１固定カバーとの間で押圧固定されることを特徴とする釣り糸連結具。
【請求項２】
前記第１本体は、前記糸巻き溝が形成された両方向に収縮変形及び拡張変形可能に隙間を有するように並べて配置された一対の弾性片からなり、前記糸巻き溝の下部における弾性片の先端は、第１固定カバーの挿入孔の内側に押圧されて、前記弾性片を収縮方向に変形させる押圧部を備えることを特徴とする請求項１に記載の釣り糸連結具。
【請求項３】
前記弾性片の隙間を形成する内側面には、弾性片の下段から隙間が次第に狭くなる糸誘導傾斜面と、隙間が次第に広がる絞り傾斜面が続いて形成され、前記糸誘導傾斜面と絞り傾斜面が出会う部分の最小隙間は、前記糸巻き溝の下部に位置することを特徴とする請求項２に記載の釣り糸連結具。
【請求項４】
前記第１本体の下段に形成され、第１固定カバーで弾性体を被覆する際に対向する第１固定カバーの一端面に係止されることで、第１本体の挿入を阻止する係止突起を更に備えることを特徴と請求項３に記載の釣り糸連結具。
【請求項５】
前記第２本体は第１本体と同一の構成になって第１本体と対称に配置され、第２本体の糸巻き溝に巻き取られた幹糸は前記第１固定カバーと同一の構成の第２固定カバーによって被覆されることで、第２本体と第２固定カバーとの間で押圧固定されることを特徴とする請求項１乃至４のいずれかに記載の釣り糸連結具。
【請求項６】
前記第１本体と第１固定カバーは、前記第２本体に対して複数備えることを特徴とする請求項１乃至４のいずれかに記載の釣り糸連結具。
【請求項７】
前記第１本体と第１固定カバーは、前記第２本体に対して複数備えることを特徴とする請求項５に記載の釣り糸連結具。
【発明の詳細な説明】
【技術分野】
【０００１】
本発明は釣り糸連結具に関するもので、より詳細には、幹糸や枝糸を連結する際に結び目なしで連結すると共に、連結作業を非常に簡単に行うことができる釣り糸連結具に関するものである。
【背景技術】
【０００２】
一般的に、釣り仕掛けを準備するに当たっては、幹糸と釣り針が取り付けられた枝糸とを連結する際に、主に両側に円形輪が備えられたひもを用いる。これは、両側の円形輪に幹糸と枝糸をそれぞれ掛けて結び目を形成することで連結する方式である。
【０００３】
しかし、このようにひもを用いて釣り糸を連結する方式は、初心者の場合に結び目を形成する作業が不慣れであって容易に解け、熟練者の場合にも結び目を形成する作業が非常に面倒であり、且つ簡易でない欠点がある。
【０００４】
また、特許文献１にはワンタッチで簡易に釣り仕掛けを交換できる連結具（以下、「従来技術」と称する）が公知されている。
【０００５】
前記従来技術は、図１及び図２に示すように、幹糸６の先端に結合してさまざまな仕掛け７を選択的に結合することができる仕掛け連結具１を提供することにおいて、幹糸６の先端に結束される結束輪２と、仕掛け７の結び目輪部８が着脱可能に結合される脱着輪３と、仕掛け７の結び目輪部８が結合された脱着輪３の連結部の外側に挿入結合されて連結部から仕掛け７の結び目輪部８が分離しないようにすると共に、重量調節用錘５を嵌合固定及び分離することができる合成樹脂製の管体になった固定部材４と、から構成されている。
【０００６】
従って、熟練者や初心者の誰でも仕掛け７を簡易に、且つ迅速に交換結合して使用することができる連結具１を提供する。これによって、釣りの途中で仕掛け７が切れた場合や速やかに仕掛け７を交換しなければならない場合は、仕掛け７の交換作業を速やかに行うことで、瞬発力に優れた釣りができるようにしたものである。
【０００７】
しかし、従来技術の場合にも、幹糸６が結束輪２に連結されていない際と、結び目輪部８を有していない釣り針を連結する際には、ひもと同様に結び目ａ、ｂ（図１及び図２を参照）を形成しなければならない。そのため、結び目のない釣り糸の連結方式を実現することができない。従って、結び目を形成することによる不便さを完全に解決できない短所がある。
【０００８】
また、結束輪２と脱着輪３は単に固定部材４に挿入結合されて、固定部材４の密着力によってその連結状態を維持するようにした構成である。従って、外力によって固定部材４が移動する場合には、脱着輪３から結び目輪部８が容易に抜け出る恐れがある。
【先行技術文献】
【特許文献】
【０００９】
【特許文献１】韓国実用新案登録２０−０２０７７８２号公報
【発明の概要】
【発明が解決しようとする課題】
【００１０】
本発明は前述したような従来の問題点を解決するためになされたもので、その目的は、幹糸と釣り針が取り付けられた枝糸とを連結するに当たって、結び目のない連結構造を実現することで、釣り仕掛けを非常に簡易に交換することができ、また、強固な結合力を維持して釣り糸連結部分が容易に解けない釣り糸連結具を提供することにある。
【課題を解決するための手段】
【００１１】
前述した目的を達成するために、本発明に係る釣り糸連結具は、幹糸に枝糸を連結するための釣り糸連結具において、前記枝糸を連結するための第１本体と、前記第１本体の上部に一体的に形成されて前記幹糸を連結するための第２本体とを含み、前記第１本体は両外側面に前記枝糸を巻き掛けるための糸巻き溝が形成され、前記糸巻き溝に巻き取られた枝糸は第１本体の断面形状と対応する形状の挿入孔を備えた第１固定カバーによって被覆されることで、第１本体と第１固定カバーとの間で押圧固定されることを特徴とする。
【００１２】
また、本発明において、前記第１本体は、前記糸巻き溝が形成された両方向に収縮変形及び拡張変形可能に隙間を有するように並べて配置された一対の弾性片からなり、前記糸巻き溝の下部における弾性片の先端は、第１固定カバーの挿入孔の内側に押圧されて、前記弾性片を収縮方向に変形させる押圧部を備えることが好ましい。
【００１３】
また、本発明において、前記弾性片の隙間を形成する内側面には、弾性片の下段から隙間が次第に狭くなる糸誘導傾斜面と、隙間が次第に広がる絞り傾斜面が続いて形成され、前記糸誘導傾斜面と絞り傾斜面が出会う部分の最小隙間は、前記糸巻き溝の下部に位置することが好ましい。
【００１４】
また、本発明において、前記第１本体の下段に形成され、第１固定カバーで弾性体を被覆する際に対向する第１固定カバーの一端面に係止されることで、第１本体の挿入を阻止する係止突起を更に備えることが好ましい。
【００１５】
また、本発明において、前記第１本体の両外側面上には、第１固定カバーの挿入孔の内側面と密着して、第１本体と第１固定カバーとの間に所定の摩擦力を発生させる押圧突起を更に備えることが好ましい。
【００１６】
また、本発明において、前記第２本体は、幹糸を掛けて連結するための円形輪であることが好ましい。
【００１７】
前記第２本体は第１本体と同一の構成になって第１本体と対称に配置され、第２本体の糸巻き溝に巻き取られた幹糸は前記第１固定カバーと同一の構成の第２固定カバーによって被覆されることで、第２本体と第２固定カバーとの間で押圧固定されることが好ましい。
【００１８】
前記第１本体と第１固定カバーは、前記第２本体に対して複数備えることが好ましい。
【発明の効果】
【００１９】
前述した特徴的な構成を有する本発明の釣り糸連結具によれば、幹糸に釣り針が取り付けられた枝糸を連結する際に、結び目なしで簡単な操作で連結することができるので、釣り仕掛けを非常に迅速に、且つ簡易に交換することができ、特に釣り初心者に非常に有用な発明である。
【００２０】
また、本発明の釣り糸連結具は、枝糸を連結するための第２本体と第２固定カバーを複数設けることで、一つの幹糸に複数の釣り針を連結することができるので、より簡易に使用できる効果がある。
【図面の簡単な説明】
【００２１】
【図１】従来技術による釣り糸連結具を示す分解斜視図である。
【図２】従来技術による釣り糸連結具の使用状態を示す断面図である。
【図３】本発明の第１実施形態に係る釣り糸連結具を示す分離斜視図である。
【図４】（ａ）と（ｂ）は本発明の第１実施形態に係る釣り糸連結具の使用状態図である。
【図５】（ａ）と（ｂ）は本発明の第１実施形態に係る釣り糸連結具の使用状態図である。
【図６】図５の（ｂ）でＡ−Ａ線断面図である。
【図７】本発明の第２実施形態に係る釣り糸連結具を示す断面図である。
【図８】本発明の第３実施形態に係る釣り糸連結具を示す断面図である。
【図９】本発明の第４実施形態に係る釣り糸連結具を示す断面図である。
【発明を実施するための最良の形態】
【００２２】
以下、本発明の好ましい実施形態を添付図面に基づいて詳細に説明する。
【００２３】
図３乃至図６は本発明の第１実施形態に係る釣り糸連結具を示す図面である。まず、図３及び図４の（ａ）と（ｂ）に示すように、本発明の第１実施形態に係る釣り糸連結具は、釣り針が取り付けられた枝糸Ｗ１を幹糸Ｗ２に連結するためのもので、枝糸Ｗ１を連結するための第１本体１０と、第１本体１０の上部に一体的に形成され、前記幹糸Ｗ２を連結するための第２本体２０を備える。
【００２４】
第１本体１０と第２本体２０は全体的に平たい形状であり、矩形の断面形状を有するように形成される。第２本体２０は幹糸Ｗ２を掛けて連結できる通常の円形輪を採用することができる。
【００２５】
第１本体１０は第２本体２０と上下方に長く続いて形成され、両外側面には枝糸Ｗ１を巻き掛けるための糸巻き溝１１が形成される。前記糸巻き溝１１に巻き取られた枝糸Ｗ１は第１本体１０の端面形状と対応する矩形の断面形状を有する挿入孔３１を備えた第１固定カバー３０によって被覆されて、第１本体１０と第１固定カバー３０との間で押圧固定されるようにする。
【００２６】
この時、図６に示すように、糸巻き溝１１に巻き取った枝糸Ｗ１が第１本体１０の表面に突出するので、糸巻き溝１１と対応して枝糸Ｗ１が押圧される部分の挿入孔３１は他の部位の挿入孔３１より大きな直径を有する拡張穴３２に形成することが好ましい。
【００２７】
また、第１本体１０と第１固定カバー３０の挿入孔３１のサイズは、これらとの間に所定の摩擦力が発生するように設定することで、第１本体１０に第１固定カバー３０を外嵌して被覆する際に、第１本体１０に対して第１固定カバー３０の移動が可能でありながら、移動した位置に保持されるようにすることが好ましい。更に好ましくは、第１本体１０の両外側面上には、第１固定カバー３０の挿入孔３１の内側面と密着して、第１本体１０と第１固定カバー３０との間に所定の摩擦力を発生させる押圧突起１７を形成することが好ましい。
【００２８】
再び図３を参照すると、第１本体１０は糸巻き溝１１が形成された両方向に収縮及び拡張変形可能に隙間１２ａを有するように並べて配置された一対の弾性片１２からなる。また、糸巻き溝１１の下部における弾性片１２の先端には、第１固定カバー３０の挿入孔３１の内側に押圧されて、前記弾性片１２を収縮方向に変形させる押圧部１３を備える。
【００２９】
押圧部１３は弾性片１２の両外側面よりも大きな幅で形成されて、図５の（ａ）と（ｂ）に示すように、第１固定カバー３０で押圧部１３を被覆する際に、第１固定カバー３０の挿入孔３１が押圧部１３を押圧して、両方の弾性片１２が収縮変形する。これによって、両方の弾性片１２の間の隙間１２ａが狭くなるようになっている。
【００３０】
一方、弾性片１２の隙間１２ａを形成する内側面には、弾性片１２の下端から隙間１２ａが次第に狭くなる糸誘導傾斜面１４と、隙間１２ａが次第に広がる絞り傾斜面１５が続いて形成される。この時、糸誘導傾斜面１４と絞り傾斜面１５が出会う部分は、隙間１２ａが最も狭い最小隙間１２ｂになり、この最小隙間１２ｂは糸巻き溝１１の下部に位置するようになる。
【００３１】
糸誘導傾斜面１４は枝糸Ｗ１を隙間１２ａとの間にスムーズに差し込むように案内する役割をする。糸誘導傾斜面１４と絞り傾斜面１５が出会う部分に形成された最小隙間１２ｂは、弾性体１２の収縮変形時に両方の弾性体１２の内側面を当接させるようにするものである。
【００３２】
第１本体１０の下段には弾性片１２の両外側面に向かって更に延びて、第１固定カバー３０の挿入孔３１より両外側面の長さを長く形成した係止突起１６が設けられている。係止突起１６は図５の（ｂ）に示すように、第１固定カバー３０に弾性片１２を被覆する際に、対向する第１固定カバー３０の一端面に係止されることで、第１本体１０がそれ以上挿入されることを阻止する役割をする。
【００３３】
前述したような構成を有する第１実施形態に係る釣り糸連結具の作用を説明すると、次の通りである。図４の（ａ）と（ｂ）は第１実施形態に係る釣り糸連結具において、第２本体２０である円形輪に幹糸Ｗ２を掛けて連結した状態で、第１本体１０に釣り針が取り付けられた枝糸Ｗ１を結び目なしで連結する過程を示す図面である。これらの図に示すように、まず、第１本体１０の糸巻き溝１１が外部に露出するようにして、第１固定カバー３０の挿入孔３１内に第１本体１０を挿入する。
【００３４】
次に、図４の（ａ）に示すように、枝糸Ｗ１を弾性片１２との間の隙間１２ａに差し込んで枝糸端部分Ｗ１−１が弾性片１２の後方に位置するようにする。その後、図４の（ｂ）に示すように、枝糸端部分Ｗ１−１を糸巻き溝１１に複数回巻き取る。この時、枝糸Ｗ１は上から下方に巻き取り、巻き取った後残りの枝糸端部分Ｗ１−１は弾性片１２の隙間１２ａを介して弾性片１２の後方に位置させる。
【００３５】
続いて、図５の（ａ）に示すように、巻き取られた部分の上方に位置した枝糸Ｗ１を、巻き取られた部分の外側に向かって上から下方に引いた後、枝糸端部分Ｗ１−１と同様に、弾性片１２の隙間１２ａを介して弾性片１２の後方に位置させる。引き続き、枝糸端部分Ｗ１−１と一緒に第１固定カバー３０の端面に形成したガイド溝３３に位置させる。
【００３６】
この状態で、第１固定カバー３０を下方に移動させると、図５の（ｂ）及び図６に示すように、第１本体１０の押圧部１３が第１固定カバー３０の挿入孔３１の内側面に押圧されて、両方の弾性片１２を収縮変形させる。これによって、両方の弾性片１２の内側面が最小隙間１２ｂの部分で互いに当接して隙間１２ａを通過した枝糸Ｗ１が抜け出すことを阻止する。それと共に、枝糸Ｗ１と枝糸端部分Ｗ１−１は第１本体１０と第１固定カバー３０との間で密着して強固に固定される。従って、枝糸Ｗ１と枝糸端部分Ｗ１−１が容易に解けないようになる。
【００３７】
逆に、釣り仕掛けを交換するために枝糸Ｗ１を取り外しようとする場合には、第１本体１０から第１固定カバー３０を上方に押し上げて、図４の（ｂ）に示すように、糸巻き溝１１に巻き取られた枝糸Ｗ１を外部に露出させる。このようにすると、押圧部１３によって押圧されて収縮変形されていた両方の弾性片１２は、押圧解除による自体の弾性復元力で元の位置に復帰して、最小隙間１２ｂが拡張するようになる。従って、隙間１２ａを介して枝糸Ｗ１と枝糸端部分Ｗ１−１を再び弾性片１２の前方に容易に抜き出すことができる。これによって、糸巻き溝１１に巻き取られた枝糸Ｗ１を簡易に解けて枝糸Ｗ１を取り外すことができる。
【００３８】
このように、本発明の第１実施形態に係る釣り糸連結具は、結び目を形成していなくても枝糸Ｗ１の連結及び取り外し作業が非常に簡単に、且つ迅速に行われることで、釣り仕掛けの交換作業を速やかに行うことができ、瞬発力に優れた釣りをすることができる。特に、釣り初心者が非常に有益に使用することができる。
【００３９】
図７は本発明の第２実施形態に係る釣り糸連結具を示す断面図であり、前述した第１実施形態に係る釣り糸連結具に比べて、第１本体１０と第１固定カバー３０を第２本体２０に対して複数備えたものである。図７には第１本体１０と第１固定カバー３０をそれぞれ２つ備えたものと示したが、これに限定されるものではなく、簡単な設計変更により、３つまたは４つの第１本体１０と第１固定カバー３０を備えることも可能である。
【００４０】
このような構成を有する第２実施形態に係る釣り糸連結具によれば、一つの幹糸Ｗ２に複数の枝糸Ｗ１を連結することができるので、釣り針の数を増加させることができる。これによって、漁獲率を高めることができる。
【００４１】
図８は本発明の第３実施形態に係る釣り糸連結具を示す断面図であり、前述した第１実施形態に係る釣り糸連結具に比べて、円形輪からなった第２本体２０を第１本体１０と同様に構成して、第１本体１０と対称に配置すると共に、第２本体２０の糸巻き溝に幹糸Ｗ２を巻き取り、第１固定カバー３０と同一の構成の第２固定カバー４０で第２本体２０を被覆することで、第２本体２０と第２固定カバー４０との間で幹糸Ｗ２が押圧固定されるようにしたものである。
【００４２】
このような構成を有する第３実施形態に係る釣り糸連結具によれば、第１本体１０と第１固定カバー３０によっては枝糸Ｗ１を結び目なしで連結し、第２本体２０と第２固定カバー４０によっては第１本体１０と第１固定カバー３０と同様の作用をすることで、幹糸Ｗ２を結び目なしで連結することができる。
【００４３】
図９は本発明の第４実施形態に係る釣り糸連結具を示す断面図であり、前述した第３実施形態に係る釣り糸連結具に比べて、第１本体１０と第１固定カバー３０を第２本体２０に対して複数備えたものである。図９には第１本体１０と第１固定カバー３０を２つ備えたものと示したが、これに限定されるものではなく、簡単な設計変更により、３つまたは４つの第１本体１０と第１固定カバー３０を備えることも可能である。
【００４４】
このような構成を有する第４実施形態に係る釣り糸連結具によれば、一つの幹糸Ｗ２に複数の枝糸Ｗ１を連結することができるので、釣り針の数を増加させることができる。これによって、漁獲率を高めることができる。
【産業上の利用可能性】
【００４５】
本発明の釣り糸連結具によれば、幹糸や枝糸を連結する際に結び目なしで連結すると共に、連結作業を非常に簡単に行うことができる。従って、本発明の産業利用性はきわめて高いものといえる。
【００４６】
以上に説明した実施形態は本発明の好ましい実施形態を説明したものに過ぎず、本発明の権利範囲は以上で説明した実施形態に限定されるものではなく、本発明の技術的思想と特許請求の範囲内で、この分野の当業者によって様々な変更、変形または置き換えが可能であり、そのような実施形態は本発明の範囲に属するものと理解するべきである。
【符号の説明】
【００４７】
１０  第１本体
１１  糸巻き溝
１２  弾性片
１２ａ  隙間
１３  押圧部
１４  糸誘導傾斜面
１５  絞り傾斜面
１６  係止突起
１７  押圧突起
２０  第２本体
３０  第１固定カバー
４０  第２固定カバー
Ｗ１  枝糸
Ｗ２  幹糸
【図１】
2020031569.tif 000003
【図２】
2020031569.tif 000004
【図３】
2020031569.tif 000005
【図４】
2020031569.tif 000006
【図５】
2020031569.tif 000007
【図６】
2020031569.tif 000008
【図７】
2020031569.tif 000009
【図８】
2020031569.tif 000010
【図９】
2020031569.tif 000011